(57)【要約】【課題】商品を四方より結束して取り扱いを容易にし、また、着脱が容易で、再利用も可能にする伸縮性弾性体のネットバンドを提供する。【解決手段】  直方体形状の被包装物を結束する環状伸縮性弾性体のネット状バンドであって、該バンドにスリット状開口部を両外側に２ヶ所づつ、中央部に４ヶ所、計８ヶ所を千鳥網目状に配設し、前記両外側の開口部を被包装物の４隅の各角に引っ掛けて結束することを特徴とする。また、板状伸縮性弾性体のネット状バンドであって、該バンドにスリット状開口部を両外側に２ヶ所づつ、中央部に１ヶ所、計５ヶ所を千鳥網目状に配設したことを特徴とする。【選択図】図３
0003161733.tif 000002
【実用新案登録請求の範囲】
【請求項１】
直方体形状の被包装物を結束する板状伸縮性弾性体のネット状バンドであって、該バンドにスリット状開口部を両外側に２ヶ所づつ、中央部に１ヶ所、計５ヶ所を千鳥網目状に配設し、また、前記両外側の開口部を被包装物の４隅の各角に引っ掛けて結束することを特徴とするネットバンド。
【請求項２】
直方体形状の被包装物を結束する環状伸縮性弾性体のネット状バンドであって、該バンドにスリット状開口部を両外側に２ヶ所づつ、中央部に２ヶ所、計６ヶ所を千鳥網目状に配設し、また、前記両外側の開口部を被包装物の４隅の各角に引っ掛けて結束することを特徴とするネットバンド。
【請求項３】
直方体形状の被包装物を結束する環状伸縮性弾性体のネット状バンドであって、該バンドにスリット状開口部を両外側に２ヶ所づつ、中央部に４ヶ所、計８ヶ所を千鳥網目状に配設し、また、前記両外側の開口部を被包装物の４隅の各角に引っ掛けて結束することを特徴とするネットバンド。
【請求項４】
請求項ｌ又は２又は３に記載の伸縮性弾性体が天然ゴム又は合成ゴム製であることを特徴とするネットバンド。
【考案の詳細な説明】
【技術分野】
【０００１】
本考案は、商品を四方より結束して取り扱いを容易にし、また、着脱が容易で、再利用も可能にする伸縮性弾性体のネットバンドに関するものである。
【背景技術】
【０００２】
従来、折箱や蓋付き箱などの箱物を結束したり、また、本や雑誌や書類を束ねて取り扱い易くするために、紐掛けが行われているが、紐の掛け回しや紐を結んで締めるなどの結束作業が必要で、手間の掛かる作業であった。また、結束用ゴムバンドを用いる場合には、結んで締める作業は省略できるが、ゴムバンドは一方向しか結束できないので、複数のゴムバンドを直交方向に掛け回して結束することが必要であった。
【０００３】
このような結束作業を簡易化するために創作されたブックバンドが先行技術として開示されている（特許文献１参照）。  
【先行技術文献】
【特許文献】
【０００４】
【特許文献１】意匠登録第１３２６６１０号公報（〔意匠に係る物品の説明〕〔斜視図〕）
【考案の概要】
【考案が解決しようとする課題】
【０００５】
しかし、この先行技術は、ゴム等の弾性体で構成された四角枠状のブックバンドであり、複数の束ねた書籍等の４つの角を挿入する開口部を４つ本体側面部に設けているものである。従来に比べ、より短時間で、しっかりと結束できる特徴があるものの、本物品は、立体的形状体からなるので、適用できる被結束物の大きさにも制約がある。よって、輪ゴムのような汎用性が発揮できないものであった。本考案は、上記の問題点を解消するために為したものであって、その目的は、直方体形状の商品を四方より結束して取り扱いを容易にすると共に、被包装物の大きさにあまり制限されることなく結束具の着脱が容易で、また、再利用が可能であり、しかも、製作が容易で経済的な伸縮性弾性体のネットバンドを提供するものである。
【課題を解決するための手段】
【０００６】
本考案（請求項ｌ）に係るネットバンドは、直方体形状の被包装物を結束する板状伸縮性弾性体のネット状バンドであって、該バンドにスリット状開口部を両外側に２箇所づつ、中央部に１箇所、計５箇所を千鳥網目状に配設し、また、前記両外側の開口部を被包装物の４隅の各角に引っ掛けて結束することを特徴とする。
【０００７】
本考案によれば、被包装物をバンドの中央部の開口部上に載置して、他の４箇所の開口部を夫々被包装物の各角、すなわち各頂点部を中に嵌めるように引き伸ばして引掛ければ、伸縮性を有するネットバンドが被包装物を捕捉して、しっかりと結束できる。また、ネットバンドはゴムのような伸縮性弾性体であるから、被包装物の形状に制約されることが少なく、合わせ易く、装着が容易である。また、複数の開口部を有する本形状のネットバンドは平板状の弾性体を金型で打ち抜いて形成し、または開口部を模した鋳型に弾性体材料を装入して成型すれば、製作が容易であり、生産性も高くできる。
【０００８】
また、請求項２に係るネットバンドは、直方体形状の被包装物を結束する環状伸縮性弾性体のネット状バンドであって、該バンドにスリット状開口部を両外側に２ヶ所づつ、中央部に２ヶ所、計６ヶ所を千鳥網目状に配設し、また、前記両外側の開口部を被包装物の４隅の各角に引っ掛けて結束することを特徴とする。
【０００９】
本請求項のネットバンドは、請求項ｌに係るネットバンドを２本、横方向に繋いで環状に形成したものである。本考案によれば、被包装物を環状バンドの中に入れ、バンドの幅中央にある２ヶ所の開口部夫々の上に、対応する被包装物の平面を置いて、両外側の４ヶ所の開口部を夫々順番に被包装物の各角部に嵌めるように引き伸ばして引掛ければ、伸縮性を有するネットバンドでネット上に包み込むようにしっかりと結束できる。また、ネットバンドはゴムのような伸縮性弾性体であるから、被包装物の形状に制約されずに合わせ易く、装着が容易である。また、複数の開口部を有する本形状のネットバンドは輪切りされた環状の弾性体を押し潰して開口部を模した金型で打ち抜いて形成することができるので、製作が容易であり、生産性も高くできる。
【００１０】
また、請求項３に係るネットバンドは、直方体形状の被包装物を結束する環状伸縮性弾性体のネット状バンドであって、該バンドにスリット状開口部を両外側に２ヶ所づつ、中央部に４ヶ所、計８ヶ所を千鳥網目状に配設し、また、前記両外側の開口部を被包装物の４隅の各角に引っ掛けて結束することを特徴とする。
【００１１】
本請求項のネットバンドは、請求項２に係るネットバンドにおいて、幅中央部の開口部が２ヶ所であったものに加えて、小さな開口部を２ヶ所追加したものである。これにより、梱包の際に、側部中央の帯状部にスリット状開口部が形成できるので、帯状部を引き伸ばしが容易になり、梱包がし易い。
【００１２】
請求項４に係るネットバンドは、請求項ｌ又は２又は３に記載のネットバンドにおいて、伸縮性弾性体が天然ゴム又は合成ゴム製であることを特徴とする。
【００１３】
この構成により、天然ゴム又は合成ゴムは他の材料に比べ伸縮性に富んでおり、ネットバンドの被包装物に対する結束性を高める。また、材料の入手が容易で、価格も手頃であり、ネットバンドの素材である平板や筒状のゴムバンドを製作し易い。また、製品であるネットバンドの形状を打ち抜きによる製作が容易で、生産性も高められる。また、ネットバンドの肉厚も厚めに変え易く、商品を重ねたときの滑り止めや、緩衝材の用途として機能する。
【考案の効果】
【００１４】
本考案の請求項１乃至４に係るネットバンドによれば、従来のゴムバンドでは一方向にしか結束できなかったが、ネットバンドは１本で商品の四方に掛けることが可能で、伸縮性があるためずれる事がなくしっかり結束できる。ネットバンドを商品にセットした後で、つまみ状部又はバンド片で伸縮を調整できるので均等に美しく結束できる。商品の各辺に２ヶ所バンドが当たるために重ねて結束した物のずり落ちが少なくできる。また、ネットバンドの肉厚を変えることにより、商品を重ねたときの滑り止めや、緩衝材の用途として機能する。また、ネットバンドのサイズ、開口部の大きさを変えて製造し易く、さまざまな大きさの商品の梱包に使用できる。また、ネットバンドは着脱が簡単で、回収して再度利用できる。また、本形状のネットバンドは弾性体材料を金型で打ち抜いて形成することができるので、製作が容易であり、生産性も高くできる。
【図面の簡単な説明】
【００１５】
【図１】図１は平板状のネットバンドであって、（ａ）は全体平面図、（ｂ）はＡ−Ａ矢視の断面図である。
【図２】図２は平板状のネットバンドを結束に用いた状態を示しており、（ａ）は模式的全体斜視図（表側）、（ｂ）は模式的全体斜視図（裏側）である。
【図３】図３は環状のネットバンドであって、全体斜視図である。
【図４】図４は環状のネットバンドであって、（ａ）は左右に伸張した状態の外形図、（ｂ）はＡ−Ａ矢視の断面図である。
【図５】図５は図４（ａ）のＢ−Ｂ矢視の左右に伸張した状態の外形図、（ｂ）はＣ−Ｃ矢視の断面図である。
【図６】図６は環状のネットバンドを結束に用いた状態を示しており、（ａ）は模式的全体斜視図（表側）、（ｂ）は模式的全体斜視図（裏側）である。
【考案を実施するための形態】
【００１６】
以下、本考案の実施するための形態を図面に基づいて説明する。図１は、平板状のネットバンドであって、（ａ）は全体平面図、（ｂ）はＡ−Ａ矢視の断面図である。図２は、平板状のネットバンドを結束に用いた状態を示しており、（ａ）は模式的全体斜視図（表側）、（ｂ）は模式的全体斜視図（裏側）である。図３は、環状のネットバンドであって、全体斜視図である。図４は、環状のネットバンドであって、（ａ）は左右に伸張した状態の外形図、（ｂ）はＡ−Ａ矢視の断面図である。図５は、図４（ａ）のＢ−Ｂ矢視の左右に伸張した状態の外形図、（ｂ）はＣ−Ｃ矢視の断面図である。図６は、環状のネットバンドを結束に用いた状態を示しており、（ａ）は模式的全体斜視図（表側）、（ｂ）は模式的全体斜視図（裏側）である。
【００１７】
本考案の実施するための形態に係るネットバンドｌについて、図ｌ、図２に基づいて説明すると、ネットバンドｌは、平板状の伸縮性弾性体のネット状バンドであって、バンド１にスリット状開口部を両外側に２箇所Ａ１，Ａ２とＡ３，Ａ４が、中央部に１箇所Ａ５が、計５箇所を段違いに千鳥網目状に配設したもので、該開口部同士の繋ぎ目に幅の広い連結部２，３，４，５があり、バンド１の外側端は半円弧状の端部１１，１２，１３，１４を形成する。この構成は、端的に言えば、開口部を囲んでいるバンド部分が輪ゴムを形成し、これら５個の輪ゴムが相互に連結して、該５個の輪ゴムを段違いに千鳥網目状に配設したようなネットバンドである。ネットバンドの寸法は、標準的なもので、長さ約３０ｃｍ、横幅約４ｃｍ、肉厚約０．１ｃｍであって、このネットバンド１により結束する被包装物Ｂの大きさは、例えば、縦＋横＋高さの和が５０ｃｍ前後のものの梱包が可能である（図２参照）。前記寸法は固定されているものでなく、被梱包物Ｂの大きさにより、ネットバンド１の寸法は適切に変えることができる。
【００１８】
図１のネットバンド１は、平板状の伸縮性弾性体であって、被包装物Ｂの梱包又は結束をしっかり行うために、伸縮性弾性体は適度の伸張性と伸張後強度を持つことが要求され、また再利用する場合には、伸張を戻した場合の復元性が必要となる。これらの性能を満足させるために、伸縮性弾性体材料として天然ゴムや熱可塑性エラストマーを含めた合成ゴムが用いられる。ネットバンド１の製造は、天然ゴム又は合成ゴムの平板材料からネットバンド１の形状を模した金型を用いて打ち抜き加工で行う。また、熱可塑性エラストマの場合は、熱可塑性エラストマーをネットバンド１の形状を模した金型に射出成型しても製造できる。
【００１９】
ネットバンド１の標準的な梱包・結束の仕方を説明すると、図２ａ，ｂに示すように、ネットバンド１の上に被包装物Ｂを載せて、被包装物Ｂがネットバンド１の中央部、すなわち開口部Ａ５に来るようにする。次に、ネットバンド１の上部と下部にある開口部Ａ１，Ａ２，Ａ３，Ａ４を被包装物Ｂ上面の四隅の角部Ｂ１ａ，Ｂ２ａ，Ｂ３ａ，Ｂ４ａに引っかけ、全体に対してバンド各部の伸びのバランスをとると梱包作業が完了する。なお、梱包状態において、各開口部Ａ１，Ａ２，Ａ３，Ａ４，Ａ５の位置を図２ａ，ｂで図示している。このように、ネットバンド１で梱包された被包装物Ｂは、ネットバンド１で６面を強固に固定されているので、被包装物Ｂの蓋が開いたり、束などの被包装物Ｂが荷崩れを起こすことがない。
【００２０】
また、図２ａに示すように、被包装物Ｂの上面は四隅にネットバンド１が少し引っ掛かっているだけなので、ネットバンド１は被包装物Ｂの表面印刷等の美観を損なうことがなく、調和がとれている。また、図２ｂに示すように、被包装物Ｂの裏面がネットバンド１によりネット状にＡ５の開口部を中央にバンドの連結部２，３，４，５が取り囲み、これらのバンドがバランスよく配置されているので、確実に梱包すると共に美観を呈し、また、送付状、リーフレットなどの小物も被包装物Ｂと一緒に保持させるネットとしても使用できる。また、ネットバンド１の１・２段目と３・４段目の帯状弾性体の端部１１，１２，１３，１４が、被包装物Ｂを梱包した時に、バンドに付帯するツマミの形状を呈するので、解梱する場合には、前記ツマミ状部を持ってネットバンド１を容易に外すことができるので、使い勝手のよいものとなる。従来、梱包に用いられたガムテープやひもは再利用できずに捨てられていたが、ネットバンド１を用いれば、被包装物Ｂの箱も傷つけないので、ネットバンド１だけでなく被包装物Ｂの箱も再利用することができる。
【００２１】
本考案の実施するための別の形態に係るネットバンドｌについて、図３、図４、図５に基づいて説明する。図３は、環状の伸縮性弾性体からなるネットバンド１の全体斜視図である。図４、図５は、図３の円筒状ネットバンド１を径に対して直交する２方向からネットバンド１を押し潰した形状、すなわち径方向に伸張した状態の外形図と断面図を示す。図４ａ、図５ａに示すように、ネットバンド１は、スリット状開口部を両外側に４箇所Ａ１，Ａ２，Ａ３，Ａ４を、中央部に４箇所Ａ５，Ａ６，Ａ７，Ａ８を、計８箇所を段違いに千鳥網目状に形成し、該開口部同士の繋ぎ目に幅の広い連結部２−１，２−２，３−１，３−２，４−１，４−２，５−１，５−２を形成する。なお、Ａ７，Ａ８のスリット状開口部は他の６個に比べて開口面積が小さい。この構成は、端的に言えば、開口部Ａ１，Ａ２，Ａ３，Ａ４，Ａ５，Ａ６を囲んでいるバンド部分が輪ゴムを形成したようで、これら６個の輪ゴムが相互に連結部を介して連結し、該６個の輪ゴムを段違いに千鳥網目状に配設したようなネットバンド１である。ネットバンドの寸法は、標準的なもので、側面の展開長さ約４０ｃｍ、横幅約４ｃｍ、肉厚約０．１ｃｍであって、このネットバンド１により結束できる被包装物Ｂの大きさは、例えば、縦３５ｃｍ、横１５ｃｍ、高さ１５ｃｍのものの梱包が可能である（図６参照）。前記寸法は固定されているものでなく、被梱包物Ｂの大きさにより、ネットバンド１の寸法は適切に変えることができる。
【００２２】
図３、図４、図５のネットバンド１は、環状の伸縮性弾性体であって、被包装物Ｂの梱包又は結束をしっかり行うために、伸縮性弾性体は適度の伸張性と伸張後強度を持つことが要求され、また再利用する場合には、伸張を戻した場合の復元性が必要となる。これらの性能を満足させるために、伸縮性弾性体材料として天然ゴムや熱可塑性エラストマーを含めた合成ゴムが用いられる。ネットバンド１の製造は、天然ゴム又は合成ゴムの円筒形材料を押し潰した状態で、図４又は図５のスリット状開口部を備えたネットバンド１の形状を模した金型を用いて打ち抜き加工で製作する。また、熱可塑性エラストマの場合は、熱可塑性エラストマーをネットバンド１の形状を模した金型に射出成型しても製造できる。
【００２３】
ネットバンド１の標準的な梱包・結束の仕方を説明すると、図６ａ，ｂに示すように、梱包作業においては、まずネットバンド１の円筒状部分の内側に、梱包する被包装物Ｂを、被包装物Ｂの正面、平面、背面、底面が、ネットバンド１に接するように挿入し、ネットバンド１が被包装物Ｂの中央部に来るようにして、ネットバンド１の中段にある大きい方の２つの開口部Ａ５，Ａ６が被包装物Ｂの平面及び底面に来るようにする。次に、ネットバンド１の上部と下部の大きな開口部Ａ１，Ａ２，Ａ３，Ａ４を形成している１段目と４段目の帯状の弾性体を、被包装物Ｂの左右の側面に移動させ、被包装物Ｂ全体に対してバンド各部の伸びと配置のバランスをとると梱包作業が完了する。なお、梱包状態において、各開口部Ａ１，Ａ２，Ａ３，Ａ４，Ａ５，Ａ６の位置を図６ａ，ｂで図示しているが、各開口部Ａ１，Ａ２，Ａ３，Ａ４の中に対応する被包装物Ｂの各角Ｂ１ａｂ，Ｂ２ａｂ，Ｂ３ａｂ，Ｂ４ａｂが収まっている。このように、ネットバンド１で梱包された被包装物Ｂは、６面を強固に固定されているので、被包装物Ｂの蓋が開いたり、束などの被包装物Ｂが荷崩れを起こすことがない。
【００２４】
また、図６ａ、ｂに示すように、被包装物Ｂの各角にネットバンド１が引っ掛かってネット状を形成し、被包装物Ｂの対称する面のネットの模様が略同じとなっているので、ネットバンド１は被包装物Ｂの表面を覆って一種の美観を呈し、また、調和がとれている。また、被包装物Ｂの表面をバンドがバランスよく配置されているので、確実に梱包すると共に、送付状、リーフレットなどの小物も被包装物Ｂと一緒に保持させるネットとしても使用できる。従来、梱包に用いられたガムテープやひもは再利用できずに捨てられていたが、ネットバンド１を用いれば、被包装物Ｂの箱も傷つけないので、ネットバンド１だけでなく被包装物Ｂの箱も再利用することができる。
【００２５】
図６において、被包装物Ｂの側面が浅い場合に、側面に掛かる小さいスリット状開口部Ａ７，Ａ８があるバンドは、伸長する長さが短いので、開口部Ａ７，Ａ８を設けなくてもよい（請求項２の考案）。
【産業上の利用可能性】
【００２６】
あらゆる方形状の被包装物の梱包又は開梱する場合において、本考案に係わるネットバンドを好適に利用できる。
【符号の説明】
【００２７】
１：ネットバンド本体    ２，２−１，２−２：連結部  ３，３−１，３−２：連結部      ４，４−１，４−２：連結部    ５，５−１，５−２：連結部  
１１，１２，１３，１４：端部
Ａ１，Ａ２，Ａ３，Ａ４、Ａ５，Ａ６，Ａ７，Ａ８：開口部
Ｂ：被包装物    Ｂ１ａｂ，Ｂ２ａｂ，Ｂ３ａｂ，Ｂ４ａｂ：角
【図１】
0003161733.tif 000003
【図２】
0003161733.tif 000004
【図３】
0003161733.tif 000005
【図４】
0003161733.tif 000006
【図５】
0003161733.tif 000007
【図６】
0003161733.tif 000008